(57)【要約】【課題】定着器の温度を調整する一方、複数の温度センサにより検知された定着器温度に基づいて記録媒体のサイズに応じた画像形成動作を行い、生産性向上を図る。【解決手段】画像形成装置において、複数の発熱体を内蔵する定着器６５と、定着器による加熱温度を検知する複数の温度センサと、定着器の温度を調整するとともに、検知された加熱温度に応じて、定着器の幅方向のサイズを選別する制御部８０と、記録媒体を格納する複数の給紙トレイ７１，７１，７３を有し、記録媒体を引き出して搬送する給紙部７０とを備え、制御部８０は、加熱温度に応じて選別した幅方向のサイズよりも給紙トレイから引き出された記録媒体の幅方向のサイズの方が大きいときは、給紙トレイから引き出された記録媒体を所定の位置７４に待機させる。【選択図】  図２
2006145961.tif 000002
【特許請求の範囲】
【請求項１】
トナー像を形成し、形成されたトナー像を記録媒体上に転写および定着することにより該記録媒体上に定着トナー像を形成する画像形成装置において、
複数の発熱体を内蔵し、記録媒体に転写されたトナー像を加熱および加圧することにより該トナー像を記録媒体上に定着する定着器と、
前記複数の発熱体に対応させて配置され、前記定着器による加熱温度を検知する複数の温度センサと、
前記複数の発熱体それぞれに電力を供給することにより前記定着器の温度を調整するとともに、前記複数の温度センサそれぞれにより検知された前記加熱温度に応じて、前記定着器により定着させる記録媒体の、該定着器のプロセス方向に交わる幅方向のサイズを選別する制御部と、
記録媒体を格納する複数の給紙トレイを有し、該複数の給紙トレイのうちの何れかの給紙トレイから記録媒体を引き出して搬送する給紙部とを備え、
前記制御部は、前記加熱温度に応じて選別した前記幅方向のサイズよりも前記給紙トレイから引き出された記録媒体の前記幅方向のサイズの方が大きいときは、該給紙トレイから引き出された記録媒体を所定の位置に待機させることを特徴とする画像形成装置。
【請求項２】
前記複数の発熱体のうちの前記定着器のプロセス方向に交わる幅方向の中央部に配置された発熱体は、他のいずれの発熱体よりも発熱量が大きいことを特徴とする請求項１記載の画像形成装置。
【請求項３】
前記制御部は、前期所定の位置に待機させた記録媒体の前記幅方向のサイズよりも大きい該幅方向のサイズを選別したときは、該記録媒体の待機を解除することを特徴とする請求項１記載の画像形成装置。
【請求項４】
前記制御部は、前記加熱温度に応じて選別した前記幅方向のサイズよりも前記給紙トレイから引き出された記録媒体の該幅方向のサイズの方が大きいときは、該給紙部から引き出された記録媒体を定着させる所定の発熱体に電力を供給することを特徴とする請求項１記載の画像形成装置。
【請求項５】
前記給紙部は、前記給紙トレイから引き出された記録媒体を一旦貯留する貯留トレイを備え、
前記給紙部は、前記所定の位置に待機する記録媒体の待機時間が所定の時間を超えたときは、待機する該記録媒体を一旦前記貯留トレイに貯留させることを特徴とする請求項１記載の画像形成装置。
【請求項６】
前記貯留トレイに貯留された記録媒体を検知する用紙センサを備え、
前記給紙部は、前記用紙センサにより記録媒体が検知されたときは、前記給紙トレイから記録媒体を引き出す前に、前記貯留トレイに貯留された記録媒体を引き出して搬送することを特徴とする請求項５記載の画像形成装置。
【請求項７】
前記複数の温度センサのうちの第１の温度センサは、前記定着器の前記幅方向の中央に配置され、第２の温度センサは、前記幅方向の端に配置されたものであって、
前記制御部は、前記第１の温度センサにより検知された前記加熱温度が、所定の温度を超えたときに、Ａ４版縦サイズを選別し、前記第２の温度センサにより検知された前記加熱温度が、所定の温度を超えたときに、Ａ４版横サイズを選別することを特徴とする請求項１記載の画像形成装置。
【発明の詳細な説明】
【技術分野】
【０００１】
本発明は、複写機、プリンタ、ファクシミリなどの電子写真方式の画像形成装置に関し、特に複数の発熱体を内蔵する定着器を有し、画像を形成する記録媒体のサイズに応じてそれら複数の発熱体への電力供給を制御することが可能な画像形成装置に関する。  ○
【背景技術】
【０００２】
従来、複写機などの画像形成装置においては、トナー像が転写された記録媒体を加熱ロールと加圧ロールとからなる１対のロールにより構成された定着器に挟持し、記録媒体上のトナー像を加熱および加圧することにより記録媒体にトナー像を定着させる方法が広く用いられている。
【０００３】
しかしながら、加熱ロールは熱容量が大きいため、所定の定着温度にまで加熱する、いわゆるウオームアップ時間が長くかかる。このため、瞬時に昇温する低熱容量のサーマルヘッドと薄膜フィルムとを用い、ウオームアップ時間の短縮化を図ると、非通紙域では、定着時に発熱体の熱が奪われないことから通紙域に対して温度が上昇してしまうという問題がある。
【０００４】
そこで、定着器圧接部の長手方向に所定領域ごとに発熱自在な発熱体を備え、各発熱領域ごとに別個の温度検知素子により検知し、発熱体を各発熱領域ごとに独立に制御するものがある（特許文献１）。
【０００５】
しかしながら、サーマルヘッドを用いた定着器は、瞬時に昇温するが、熱容量が小さいので、一度に多量の記録媒体に画像を形成する場合には不向きである。
【０００６】
また、ウオームアップ時間の短縮と、待機時の温度維持を不要にするために円周方向に独立したヒータ膜を有する定着装置において、ヒータ膜の給電部たるヒータ電極に電圧印加する摺動電極が凹凸を有するため、給電部上で接離し給電状態が不安定になるのを、互いにずれた複数個の接触部材により円滑に給電できるように構成したものがある（特許文献２）。
【０００７】
しかしながら、この技術を用いても、サーマルヘッドを用いた定着器と同様に熱容量が小さいため、加熱ロールは蓄熱効果が低く、定着温度を維持するには、ヒータ自体のパワーに頼らざるを得ないことから、一気にプリントできる枚数には限界がある。
【特許文献１】特開平０６−２７４０６８号公報（段落番号００１９〜段落番号００２７、図３〜図６）
【特許文献２】特開平０９−３４２９５号公報（段落番号０００６〜段落番号００２０、図１〜図９）
【発明の開示】
【発明が解決しようとする課題】
【０００８】
本発明は、上記の事情に鑑み、薄肉の加熱ロールを用いてウオームアップ時間を短縮する一方、定着器に内蔵された複数の発熱体個別の発熱量を調整するとともに、複数の発熱体への電力供給を制御して定着器の温度を調整する一方、複数の温度センサにより検知された定着器温度に基づいて記録媒体のサイズに応じた画像形成動作を行い、生産性向上が図られる画像形成装置を提供することを目的とする。
【課題を解決するための手段】
【０００９】
上記の目的を達成する本発明の画像形成装置は、トナー像を形成し、形成されたトナー像を記録媒体上に転写および定着することにより該記録媒体上に定着トナー像を形成する画像形成装置において、
複数の発熱体を内蔵し、記録媒体に転写されたトナー像を加熱および加圧することにより該トナー像を記録媒体上に定着する定着器と、
上記複数の発熱体に対応させて配置され、上記定着器による加熱温度を検知する複数の温度センサと、
上記複数の発熱体それぞれに電力を供給することにより上記定着器の温度を調整するとともに、上記複数の温度センサそれぞれにより検知された上記加熱温度に応じて、上記定着器により定着させる記録媒体の、該定着器のプロセス方向に交わる幅方向のサイズを選別する制御部と、
記録媒体を格納する複数の給紙トレイを有し、該複数の給紙トレイのうちの何れかの給紙トレイから記録媒体を引き出して搬送する給紙部とを備え、
上記制御部は、上記加熱温度に応じて選別した上記幅方向のサイズよりも上記給紙トレイから引き出された記録媒体の上記幅方向のサイズの方が大きいときは、該給紙トレイから引き出された記録媒体を所定の位置に待機させることを特徴とする。
【００１０】
このように、複数の温度センサを備え、制御部は、温度センサそれぞれにより検知された定着器の各位置の加熱温度に応じて、定着可能なサイズを選別するので、定着可能温度に達したサイズの記録媒体は、即座の定着動作が実行できる上、それよりも大きいサイズのものは、定着可能温度に達するまで、所定位置に待機させればよいので、定着器のウオームアップに伴う画像形成速度を速め、生産性を向上させることができる。
【発明の効果】
【００１１】
本発明の画像形成装置によれば、定着器の発熱体への電力供給を制御して定着器の温度を調整する一方、複数の温度センサにより検知された定着器温度に基づいて記録媒体のサイズに応じた画像形成動作を行うことが可能であり、画像形成の生産性向上が図れる。
【発明を実施するための最良の形態】
【００１２】
以下に本発明の画像形成装置の実施形態について説明する。
【００１３】
図１は、本発明の画像形成装置の実施形態を示す複写機の概略構成図である。
【００１４】
図１に示す複写機は、原稿を自動的に所定の位置に送る原稿自動送り部３０と、原稿に光を照射し、反射光をＣＣＤ撮像素子で読み取って電気信号に変換し、原稿を表す画像信号を得る原稿読取部４０と、原稿読取部４０で読み取った画像信号をデジタル変換し、色分解、γ変換などを施す画像処理部５０と、画像処理部５０で画像処理された画像データに基づいてトナー像を形成するトナー像形成部６０と、各種サイズの記録媒体を格納する給紙トレイ７１、７２、７３を有し、給紙トレイから所定のサイズの記録媒体を引き出してトナー像形成部に搬送する給紙部７０と、制御部８０とを備えている。
【００１５】
トナー像形成部６０は、トナー像が形成される感光体ドラム６１と、画像処理部５０により画像処理が施された画像データをパルス変調し、そのパルス幅変調された画像データによるレーザ光を、帯電した感光体ドラム６１に照射し、静電潜像を形成する露光部６２と、静電潜像にトナーを付与してトナー像を形成する現像機６３と、記録媒体に所定のタイミングでトナー像を転写する転写部６４と、転写部６４により記録媒体上に転写されたトナー像を加熱および加圧し、記録媒体上にトナー像を定着させる定着器６５と、トナー像が定着された記録媒体を排出する排出トレイ６６とを備えている。
【００１６】
給紙部７０は、各種サイズの記録媒体を格納する給紙トレイ７１、７２、７３と、給紙トレイ７１、７２、７３から引き出された記録媒体を待機させるレジストロール７４と、給紙トレイ７１、７２、７３から引き出された記録媒体を搬送して一旦貯留する貯留トレイ７５と、貯留トレイ７５に貯留された記録媒体を検知する用紙センサ７６とを備えている。
【００１７】
この複写機で、原稿のコピーを作成するときは、原稿を原稿自動送り部３０に載せて、図示しない操作パネルのスタートキーを押すと、原稿は自動的に原稿読取部４０に送られ、原稿に記録された画像が読み取られ、原稿を表す画像信号を得る。その画像信号は、画像処理部５０に送られ、所定の画像処理が施されて画像データに変換された後、露光部６２において、その画像データでパルス幅変調されたレーザ光となる。そのレーザ光は、帯電した感光体ドラム６１に照射されて静電潜像が形成され、その静電潜像に現像機６３からトナーが付与されることにより感光体ドラム６１上にトナー像が形成される。
【００１８】
一方、給紙トレイ７１，７２，７３から記録媒体が引き出され、レジストロール７４を経由して転写部６４に搬送される。そして、転写部６４でその記録媒体にトナー像が転写され、さらに定着器６５でトナー像が定着された後、定着トナー像が形成された記録媒体は、排出トレイ６６に排出される。
【００１９】
一方、本実施形態の複写機の電源が投入された直後、または待機しているときにコピーが行われる場合には、定着器６５の幅方向の中央部の温度が定着可能温度になると、記録媒体はレジストロール７４に送られる。このとき、原稿がＡ４版縦置きで、記録媒体がＡ４版縦方向に搬送されるときは、その記録媒体は即座に転写部６４に送られる。しかし、記録媒体がＡ４版横方向に搬送されるとき、または原稿がＡ４版横置き（あるいはＡ３版縦置き）で、記録媒体がＡ４版横方向（あるいはＡ３版縦方向）に搬送されるときは、その記録媒体はレジストロール７４で待機するとともに、定着器６５の両端のヒータにも電力が供給される。そして、定着器６５の両端の温度が定着可能温度になると、待機している記録媒体はレジストロール７４から転写部６４に送られ、その記録媒体にトナー像が転写される。しかし、待機時間が所定の時間を越えると、待機している記録媒体は一旦貯留トレイ７５に送られる。
【００２０】
ここで、待機している記録媒体が一旦貯留トレイ７５に送られた後、定着器６５の両端の温度が定着可能温度にならない間にコピー要求を行うと、Ａ４版縦方向に搬送される記録媒体により画像を形成することができる。
【００２１】
また、次のコピーを行うときに、貯留トレイ７５に記録媒体が貯留されているときは、給紙トレイ７１，７２，７３から給紙される前にその貯留されている記録媒体が優先的に給紙される。
【００２２】
このように、定着器６５の幅方向の中央部の温度が定着可能温度になると、記録媒体はレジストロール７４に送られるので、記録媒体のサイズが大きくてレジストロール７４に待機しているときに定着器６５の温度が上昇すれば、そのままトナー像が転写され、少なくとも記録媒体を引き出してレジストロール７４に送るまでの時間が短縮される。一方、待機時間が長くなるときは、その記録媒体は一旦貯留トレイ７５に送られ、Ａ４版縦方向に搬送される記録媒体により画像形成が可能となるので、少なくとも画像形成までの時間が短縮される。
【００２３】
ここで、本実施形態の画像形成装置について、直接転写式の複写機に基づいて説明したが、複写機は直接転写式に限定されず、間接転写式であっても、さらに複数の感光体ドラムを有するタンデム式のものであっても適用される。また、画像形成装置は、複写機に限定する必要はなく、プリンタであっても、ファクシミリであってもよい。
【００２４】
図２は、本実施形態の制御部による定着器の温度制御を示す図である。
【００２５】
図２に示す定着器の加熱ロール１には、定着器のプロセス方向に交わる幅方向の中央部を加熱する、発熱量が大きい第１のヒータ３、および定着器のプロセス方向に交わる幅方向の両端部それぞれを加熱する、発熱量が比較的小さい２つの第２のヒータ４が内蔵されている。そして、加熱ロール表面２には、中央部の表面温度を検知する第１のサーミスタ６、端部の表面温度を検知する第２のサーミスタ５が設置されている。第１のヒータ３および２つが直列に接続された第２のヒータ４それぞれの一方の端子２１がリレー（ＲＡ１）の接点７ａを介して交流電源２０の一端２０ａに接続されている。第１のヒータ３の他方の端子２２は、ゲートにパルス信号が入力すると回路を接断するスイッチング機能を有するトライアック１２に接続され、そのトライアック１２を介して交流電源の他端２０ｂに接続されている。また、２つが直列に接続された第２のヒータ４の他方の端子２２は、トライアック１０に接続され、そのトライアック１０を介して交流電源の他端２０ｂに接続されている。
【００２６】
制御部には、ＣＰＵ８があり、ＣＰＵ８には、第１のサーミスタ６、および第２のサーミスタ５が接続されており、それぞれの抵抗特性から温度を検出することができる。また、ＣＰＵ８には、ダイオード９を介してトライアック１０のゲートが接続され、ダイオード１１を介してトライアック１２のゲートが接続されている。さらに、ＣＰＵ８には、ダイオード１４を介してエミッタ接地トランジスタ１５のベースが接続され、トランジスタ１５のコレクタにはリレー（ＲＡ１）７が接続されている。
【００２７】
電源が投入されると、ＣＰＵ８はエミッタ接地トランジスタ１５にパルス信号を送り、リレー（ＲＡ１）７を動作させ、リレー（ＲＡ１）７の接点７ａを介して加熱ロールのヒータに交流電源２０を投入する。それと同時に、トライアック１０およびトライアック１２のそれぞれのゲートにパルス信号を送り、トライアック１０およびトライアック１２それぞれを「接」にすることにより、第１のヒータ３、第２のヒータ４それぞれに電力を供給する。
【００２８】
第１のサーミスタ６により検知された、定着器の中央部の温度がコピー可能な上限温度に達すると、トライアック１２のゲートにパルス信号を送り第１のヒータ３を「断」にし、定着器の中央部の温度がコピー可能な下限温度に達すると、トライアック１２のゲートにパルス信号を送り第１のヒータ３を「接」にする。以下、同様にして、第１のヒータ３の接断を繰り返す。
【００２９】
また、第２のサーミスタ５により検知された、定着器の端部の温度がコピー可能な上限温度に達すると、トライアック１０のゲートにパルス信号を送り第２のヒータ４を「断」にし、定着器の端部の温度がコピー可能な下限温度に達すると、トライアック１０のゲートにパルス信号を送り第２のヒータ４を「接」にする。以下、同様にして、第２のヒータ４の接断を繰り返す。
【００３０】
ＣＰＵは、このように定着器の中央部と端部とを独立に温度制御するので、例えばＡ４版の用紙を縦方向に搬送するときは、第１のヒータ３の接断を繰り返すことにより所定の定着動作を可能にする。一方、例えばＡ４版の用紙を横方向に搬送するときは、第１のヒータ３および第２のヒータ４の接断を繰り返すことにより所定の定着動作を可能にする。
【００３１】
なお、本実施形態のＣＰＵ８には、複写機の本体カバーの開閉を検出するスイッチ２４が接続されており、本体カバーが開いたことが検出されると、ＣＰＵ８は、リレー７の動作を解除し、リレーの接点７ａを開放するので、加熱ロール１のヒータはすべて消灯するように構成されている。
【００３２】
図３〜図５は、制御部による記録媒体の選別動作を示すフローチャートである。
【００３３】
図３に示すように、制御部は、第１のサーミスタにより加熱ロールの中央部の温度を監視している。第１のサーミスタにより検知された温度が、定着可能温度に達したか否かを判別し（Ｓ−１）、加熱ロールの中央部が定着可能温度に達したら、例えばＡ４版を縦方向に搬送される記録媒体に対する定着動作が可能と判断して、Ａ４版縦幅以下のサイズを選別する（Ｓ−２）。そして、加熱ロールの中央部の温度が、上限温度と下限温度との範囲内に収まるように、第１のヒータを接断する制御を行う（Ｓ−３）。
【００３４】
一方、加熱ロールの中央部が定着可能温度に達していないときは、第１のヒータに電力を供給する（Ｓ−４）。そして、いずれの記録媒体も定着動作が不能と判断して、Ａ４版縦幅以下のサイズ、およびＡ４版縦幅より大きいサイズともに選別しない（Ｓ−５，Ｓ−６）。
【００３５】
図４に示すように、制御部は、第２のサーミスタにより加熱ロールの端部の温度を監視している。第２のサーミスタにより検知された温度が、定着可能温度に達したか否かを判別し（Ｓ−１１）、加熱ロールの端部が定着可能温度に達したら、例えばＡ４版を横方向に搬送される記録媒体に対する定着動作が可能と判断して、Ａ４版縦幅より大きいサイズを選別する（Ｓ−１２）。そして、加熱ロールの中央部および端部の温度が、上限温度と下限温度との範囲内に収まるように、第１のヒータおよび第２のヒータを接断する制御を行う（Ｓ−１３）。
【００３６】
一方、加熱ロールの端部が定着可能温度に達していないときは、第２のヒータに電力を供給する（Ｓ−１４）。そして、少なくともＡ４版を横方向に搬送される記録媒体に対する定着動作は不能と判断して、Ａ４版縦幅を越えるサイズは選別しない（Ｓ−１５）。
【００３７】
図５に示すように、制御部は、図３および図４における選別により、少なくともＡ４版縦幅以下のサイズが選別されたか否かを判別し（Ｓ−２１）、Ａ４版縦幅以下のサイズが選別されたときは、例えば複写機のスタートキーのランプを点灯させて、コピー動作を可能にする（Ｓ−２２）。Ａ４版縦幅以下のサイズが選別されないときは、複写機の、例えばスタートキーのランプを消灯させたままとし、コピー動作を不能にする（Ｓ−２３）。
【００３８】
図６は、本実施形態の複写機によるコピー動作全体を示すフローチャートである。
【００３９】
図６に示すように、複写機におけるコピー動作を開始するためスタートキーを押したときに、制御部による記録媒体のサイズの選別状態を判別し（Ｓ−３１）、コピー動作が不能であるときはスタートキーの操作を無効にする。
【００４０】
一方、コピー動作が可能であるときは、記録媒体の幅をチェックし（Ｓ−３２）、その幅がＡ４版縦幅以下のサイズであるときは、用紙センサにより貯留トレイに記録媒体が貯留されているか否かが判定され（Ｓ−３３）、記録媒体が貯留されていると判定されたときは、その貯留トレイから給紙され（Ｓ−３４）、転写部に送られてトナー像が転写され、定着器で定着されて、記録媒体上に定着トナー像が形成される（Ｓ−３６）。一方、貯留トレイに記録媒体が貯留されていないときは、給紙トレイから給紙され（Ｓ−３５）、同様にして記録媒体上に定着トナー像が形成される（Ｓ−３６）。
【００４１】
記録媒体の幅のチェック（Ｓ−３２）により、その幅がＡ４版縦幅を越えるサイズであると判別されたときは、制御部の選別において、Ａ４版縦幅を越えるサイズが選別されているか否かが判定され（Ｓ−３７）、Ａ４版縦幅を越えるサイズが選別されているときは、用紙センサにより貯留トレイに記録媒体が貯留されているか否かが判定され（Ｓ−３３）、以下（Ｓ−３４）から（Ｓ−３６）までのステップが実行される。
【００４２】
一方、制御部の選別において、Ａ４版縦幅を越えるサイズが選別されていないときは、給紙トレイからレジストロールに搬送された記録媒体を待機させ、待機時間をカウントする（Ｓ−３８）。
【００４３】
そして、待機中に、制御部の選別において、Ａ４版縦幅を越えるサイズが選別されたか否かが判定され（Ｓ−３９）、Ａ４版縦幅を越えるサイズが選別されたときは、レジストロールに搬送されて待機している記録媒体の待機を解除して、転写部に送り、トナー像の転写、定着を行い記録媒体上に定着トナー像を形成するコピー動作が実行される（Ｓ−４０）。
【００４４】
一方、Ａ４版縦幅を越えるサイズが選別されないときには、待機時間のカウントにおいて、所定の時間が経過したか否かが判定され（Ｓ−４１）、タイムアウトのときは、レジストロールに搬送されて待機している記録媒体を一旦貯留トレイに移し、Ａ４版縦幅以下のサイズの記録媒体が収納されている給紙トレイを探す（Ｓ−４２）。Ａ４版縦幅以下のサイズの記録媒体が収納されている給紙トレイがなければ、終了し（Ｓ−４３）、給紙トレイがあっても給紙トレイ内に記録媒体が収納されていなければ終了し（Ｓ−４４）、記録媒体が収納されていれば、その給紙トレイから給紙することにより記録媒体上に定着トナー像が形成される（Ｓ−４５）。
【００４５】
このように、本実施形態の定着器は、中央部が早く定着可能温度に到達するように構成されている。したがって制御部は、温度センサにより中央部の温度が定着可能温度に到達したことが検知されると、コピー動作を可能にし、Ａ４版縦サイズのコピーは即座にコピー動作を行う一方、Ａ４版横サイズ（Ａ４版横置き、Ａ３版縦置き）のコピーは、定着器の端部の温度が定着可能温度に到達するまで待機する。しかし、万一待機時間が長くなると、一旦記録媒体を貯留トレイに写し、Ａ４版縦サイズのコピーに変更してコピーを行うので、少なくとも、コピーがなされるまでの時間は短縮される。
【図面の簡単な説明】
【００４６】
【図１】本発明の画像形成装置の実施形態を示す複写機の概略構成図である。
【図２】本実施形態の制御部による定着器の温度制御を示す図である。
【図３】制御部による記録媒体の選別動作を示すフローチャートである。
【図４】制御部による記録媒体の選別動作を示すフローチャートである。
【図５】制御部による記録媒体の選別動作を示すフローチャートである。
【図６】本実施形態の複写機によるコピー動作全体を示すフローチャートである。
【符号の説明】
【００４７】
１  加熱ロール
２  加熱ロール表面
３  第１のヒータ
４  第２のヒータ
５  第２のサーミスタ
６  第１のサーミスタ
７  リレー
７ａ  リレーの接点
８  ＣＰＵ
９、１１、１４  ダイオード
１０、１２  トライアック
２０  交流電源
２０ａ  一端
２０ｂ  他端
２１  一方の端子
２２、２３  他方の端子
３０  原稿自動送り部
４０  原稿読取部
５０  画像処理部
６０  トナー像形成部
６１  感光体ドラム
６２  露光部
６３  現像機
６４  転写部
６５  定着器
６６  排出トレイ
７０  給紙部
７１、７２、７３  給紙トレイ
７４  レジストロール
７５  貯留トレイ
７５  用紙センサ
８０  制御部
【図１】
2006145961.tif 000003
【図２】
2006145961.tif 000004
【図３】
2006145961.tif 000005
【図４】
2006145961.tif 000006
【図５】
2006145961.tif 000007
【図６】
2006145961.tif 000008